(57)【特許請求の範囲】
【請求項１】
換気扇本体の室内側に設けられ、通気口を有する本体カバーと、
この本体カバーの通気口を開閉するパネルと、
前記本体カバーに取り付けられた固定板と、
前記パネルに取り付けられると共に、前記固定板に摺動可能に支持されることにより、前記パネルを前記本体カバーに重ねた位置と前記本体カバーから室内側へ離れた位置との間をスライド可能に支持する摺動板と、
前記本体カバーに設けられ、前記摺動板を挿通させる開口部と、
前記固定板及び前記摺動板を予めユニットとして組み立てたスライドユニットとを備え、
前記パネルと前記本体カバーを重ねた状態で、前記スライドユニットの固定板を前記本体カバーに取り付けると共に、前記スライドユニットの摺動板を前記本体カバーの開口部を通して前記パネルに取り付けるように構成したことを特徴とする換気扇。
【請求項２】
換気扇本体の室内側に設けられ、通気口を有する本体カバーと、
この本体カバーの通気口を開閉するパネルと、
前記本体カバーに取り付けられた固定板と、
前記パネルに取り付けられると共に、前記固定板に摺動可能に支持されることにより、前記パネルを前記本体カバーに重ねた位置と前記本体カバーから室内側へ離れた位置との間をスライド可能に支持する摺動板と、
前記固定板及び前記摺動板を予めユニットとして組み立てたスライドユニットと、
前記本体カバーに設けられ、前記固定板を取り付ける固定板取付部と、
前記パネルに設けられ且つ前記本体カバーを通して前記スライドユニット側に露出するように設けられ、前記摺動板を取り付ける摺動板取付部とを備え、
前記パネルと前記本体カバーを重ねた状態で、前記スライドユニットの固定板及び摺動板を前記固定板取付部及び前記摺動板取付部に取り付けるように構成したことを特徴とする換気扇。
【請求項３】
スライドユニットには、ばねやローラ等の部品が組み込まれていることを特徴とする請求項１または２記載の換気扇。
【請求項４】
通気口を、幅狭な第１の通気口と、この第１の通気口よりも幅広な第２の通気口とから構成すると共に、
これら第１または第２の通気口のうちの一方を排気口とし、他方を給気口としたことを特徴とする請求項１ないし３のいずれかに記載の換気扇。
【請求項５】
パネルにスライドユニットの摺動板を取り付ける摺動板取付部を設け、
この摺動板取付部に１個のボスを設け、
本体カバーにおける前記摺動板取付部の両側部位に前記スライドユニットの固定板を取り付ける２個の固定板取付部を設け、
これら２個の固定板取付部にそれぞれボスを設け、
前記３個のボスの高さ寸法をほぼ同じに構成したことを特徴とする請求項１ないし４のいずれかに記載の換気扇。
【請求項６】
摺動板取付部にリブを設けると共に、
２個の固定板取付部にそれぞれリブを設けたことを特徴とする請求項５記載の換気扇。
【請求項７】
摺動板取付部と２個の固定板取付部をほぼ一直線に並ぶように配置したことを特徴とする請求項５または６記載の換気扇。
【発明の詳細な説明】
【０００１】
【発明の属する技術分野】
本発明は、換気扇本体の室内側に設けられた本体カバーの通気口をパネルにより開閉するように構成された換気扇に関する。
【０００２】
【従来の技術】
この種の換気扇においては、パネルを本体カバーに重ねた位置（閉塞位置）と本体カバーから室内側へ離れた位置（開放位置）との間をスライド可能に設けた構成がある。この構成の一例を図１１に示す。この図１１に示すように、本体カバー１にねじ止めした固定板２に対して、パネル３にねじ止めした摺動板４を摺動可能に支持することにより、本体カバー１にパネル３をスライド可能に設けている。ここで、固定板２に摺動板４を摺動可能に支持するに際しては、固定板２に２個のローラ５、６を回転可能に設けると共に、これらローラ５、６により摺動板４を摺動可能に支持している。
【０００３】
そして、摺動板４の中央部に設けられたばね掛部４ａと、固定板２の右端部に設けられたばね掛部２ａとの間に、引っ張りコイルばね７を掛け渡している。この引っ張りコイルばね７のばね力により、パネル３を閉塞位置（本体カバー１に重なる位置）方向へスライドさせるように付勢している。また、パネル３を開放させる場合は、図示しないモータにより上記引っ張りコイルばね７のばね力に抗してパネル３を開放位置方向へスライドさせるように構成している。
【０００４】
【発明が解決しようとする課題】
上記した従来構成を組み立てる場合、まず、本体カバー１に固定板２をねじ止めすると共に、パネル３に摺動板４をねじ止めする。次に、摺動板４を本体カバー１に形成された貫通孔１ａ内に通しながら、パネル３を本体カバー１に重ねる。そして、固定板４にローラ５を組み付けると共に、引っ張りコイルばね７を摺動板４のばね掛部４ａと固定板２のばね掛部２との間に掛け渡し、更に、ローラ６を摺動板４の長孔４ｂ内に挿通しながら固定板２に回転可能にねじ止めすることにより、組み立てている。
【０００５】
しかしながら、上記構成の場合、組み立て作業を行い難いという欠点があった。具体的には、固定板２が本体カバー１にねじ止めされていると共に、摺動板４がパネル３にねじ止めされている状態で、引っ張りコイルばね７を摺動板４のばね掛部４ａと固定板２のばね掛部２ａとの間に掛け渡さなければならないので、本体カバー１やパネル３が邪魔になり、上記ばね掛け作業がかなり困難であった。このため、引っ張りコイルばね７を変形させてしまったり、部品の組み付け不良が発生したりするおそれもあった。
【０００６】
そこで、本発明の目的は、組み立て作業を簡単に行うことができる換気扇を提供するにある。
【０００７】
【課題を解決するための手段】
本発明の換気扇は、換気扇本体の室内側に設けられ通気口を有する本体カバーと、この本体カバーの通気口を開閉するパネルと、前記本体カバーに取り付けられた固定板と、前記パネルに取り付けられると共に前記固定板に摺動可能に支持されることにより前記パネルを前記本体カバーに重ねた位置と前記本体カバーから室内側へ離れた位置との間をスライド可能に支持する摺動板と、前記本体カバーに設けられ前記摺動板を挿通させる開口部と、前記固定板及び前記摺動板を予めユニットとして組み立てたスライドユニットとを備え、前記パネルと前記本体カバーを重ねた状態で、前記スライドユニットの固定板を前記本体カバーに取り付けると共に、前記スライドユニットの摺動板を前記本体カバーの開口部を通して前記パネルに取り付けるように構成したところに特徴を有する。
【０００８】
上記構成によれば、固定板及び摺動板を予め組み立てることによりスライドユニットを組み立てておき、このスライドユニットの固定板を本体カバーに取り付けると共に、スライドユニットの摺動板を本体カバーの開口部を通してパネルに取り付けるように構成した。この構成の場合、スライドユニットの組み立て時に、本体カバーやパネルが邪魔にならないから、上記組み立て作業は従来構成に比べてかなり簡単になる。そして、スライドユニットを本体カバー及びパネルに取り付ける作業は簡単である。従って、全体として組み立て作業を簡単に行うことができる。
【０００９】
また、本発明の他の換気扇は、換気扇本体の室内側に設けられ通気口を有する本体カバーと、この本体カバーの通気口を開閉するパネルと、前記本体カバーに取り付けられた固定板と、前記パネルに取り付けられると共に前記固定板に摺動可能に支持されることにより前記パネルを前記本体カバーに重ねた位置と前記本体カバーから室内側へ離れた位置との間をスライド可能に支持する摺動板と、前記固定板及び前記摺動板を予めユニットとして組み立てたスライドユニットと、前記本体カバーに設けられ前記固定板を取り付ける固定板取付部と、前記パネルに設けられ且つ前記本体カバーを通して前記スライドユニット側に露出するように設けられ前記摺動板を取り付ける摺動板取付部とを備え、前記パネルと前記本体カバーを重ねた状態で、前記スライドユニットの固定板及び摺動板を前記固定板取付部及び前記摺動板取付部に取り付けるように構成したものである。
【００１０】
更に、前記スライドユニットには、ばねやローラ等の部品を組み込むことが好ましい構成である。また、通気口を、幅狭な第１の通気口とこの第１の通気口よりも幅広な第２の通気口とから構成すると共に、これら第１または第２の通気口のうちの一方を排気口とし、他方を給気口とするように構成することも良い構成である。
【００１１】
一方、パネルにスライドユニットの摺動板を取り付ける摺動板取付部を設け、この摺動板取付部に１個のボスを設け、本体カバーにおける前記摺動板取付部の両側部位に前記スライドユニットの固定板を取り付ける２個の固定板取付部を設け、これら２個の固定板取付部にそれぞれボスを設け、前記３個のボスの高さ寸法をほぼ同じに構成することも好ましい。また、摺動板取付部にリブを設けると共に、２個の固定板取付部にそれぞれリブを設けることも良い。更に、摺動板取付部と２個の固定板取付部をほぼ一直線に並ぶように配置することが好ましい構成である。
【００１２】
【発明の実施の形態】
以下、本発明を熱交換形換気扇に適用した一実施例について図１ないし図１０を参照しながら説明する。まず、図２は熱交換形換気扇を室壁に設置した状態の概略縦断側面を示す図である。この図２において、室壁１１には、矩形状の換気扇挿入孔１１ａが形成されており、この換気扇挿入孔１１ａ内に矩形状の木枠１１ｂが嵌合固定されている。そして、上記木枠１１ｂ内に、換気扇本体１２が嵌合固定されている。
【００１３】
この換気扇本体１２は、枠体１３と、この枠体１３の図２中左端部に形成されたフランジ部１３ａに取り付けられた本体カバー１４とから構成されている。上記本体カバー１４には、図１に示すように、矩形状をなす第１の通気口１４ａがほぼ中央部分に位置して形成されていると共に、細長い矩形状をなす第２の通気口１４ｂが上部に位置して形成されている。これら２つの通気口１４ａ、１４ｂが本発明の通気口を構成している。この構成の場合、第１の通気口１４ａの方が第２の通気口１４ｂよりも幅狭に形成されている。第１の通気口１４ａ内は、３枚のリブ１４ｃにより仕切られている。第２の通気口１４ｂ内は、１枚のリブ１４ｄにより仕切られている。また、第１の通気口１４ａが排気口とされていると共に、第２の通気口１４ｂが給気口とされている。
【００１４】
一方、上記枠体１３内には、室内側（図２中左側）から室外側（図２中右側）へ空気を通す排気通路と、室外側（図２中右側）から室内側（図２中左側）へ空気を通す給気通路と、ファン装置と、熱交換素子（いずれも図示しない）とが設けられている。上記排気通路の室内側開口部は上記本体カバー１４の第１の通気口１４ａに連通し、排気通路の室外側開口部は室外に連通するように構成されている。上記給気通路の室内側開口部は上記本体カバー１４の第２の通気口１４ｂに連通し、給気通路の室外側開口部は室外に連通するように構成されている。
【００１５】
上記構成の場合、ファン装置が駆動されると、室内の空気が本体カバー１４の第１の通気口１４ａ及び排気通路を通って外部へ排出されると共に、室外の空気（外気）が給気通路及び本体カバー１４の第２の通気口１４ｂを通って室内へ給気される。そして、排気通路を通る排気と、給気通路を通る外気とは熱交換素子において熱交換するように構成されている。
【００１６】
さて、本体カバー１４の２つの開口部１４ａ、１４ｂは、パネル１５により開閉されるように構成されている。このパネル１５は、図２に示すように、矩形板状をなす本体部１５ａと、本体部１５ａの外周部に周回するように一体成形された枠部１５ｂとから構成されている。上記パネル１５は、本体カバー１４に重ねた位置（図２にて実線で示す位置）と、本体カバー１４から室内側へ離れた位置（図２にて２点鎖線で示す位置）との間を左右方向へスライド可能に設けられている。この場合、パネル１５が本体カバー１４に重なった位置にあるとき、本体カバー１４の２つの開口部１４ａ、１４ｂが閉塞され、パネル１５が本体カバー１４から室内側へ離れた位置にあるとき、本体カバー１４の２つの開口部１４ａ、１４ｂが開放される構成となっている。
【００１７】
ここで、上記パネル１５を本体カバー１４にスライド可能に支持する支持構成について具体的に説明する。本体カバー１４の図２中右側面には、第１の通気口１４ａの両側に位置して１対のスライドユニット１６、１７が配設されている。これら１対のスライドユニット１６、１７は、左右対称な構造である以外は同じ構造であるから、ここでは、代表として図１中右側のスライドユニット１６について説明する。
【００１８】
上記スライドユニット１６は、図４に示すように、断面がほぼコ字状をなす合成樹脂製の固定板１８と、この固定板１８に摺動可能に支持された合成樹脂製の摺動板１９とから構成されている。上記摺動板１９の内側面（固定板１８と対向する側面）の上下部には、２個のリブ状のレール部１９ａ、１９ｂが所定間隔をおいて突設されている。また、摺動板１９の内側面の中央部には、ばね掛け部１９ｃが突設されていると共に、摺動板１９の図４中右端部には、長孔１９ｄが形成されている。更に、摺動板１９の図４中左端部には、摺動板１９をパネル１５に取り付けるための取付部１９ｅが突設されている。そして、摺動板１９の下端部には、多数の歯からなるラック部１９ｆが形成されている。
【００１９】
また、上記固定板１８の内側面（摺動板１９と対向する側面）における図４中左端部には、軸部１８ａが突設されており、この軸部１８ａに第１のガイドローラ２０が回転可能に支持されている。この第１のガイドローラ２０を挟むように摺動板１９の２個のレール部１９ａ、１９ｂが嵌合されている。この場合、上側のレール部１９ａが第１のガイドローラ２０上に載置されると共に、下側のレール部１９ｂと第１のガイドローラ２０との間には若干隙間が形成されている。
【００２０】
一方、固定板１８の内側面の図４中右端部にはボス部１８ｂが突設されている。このボス部１８ｂには、摺動板１９の長孔１９ｄ内に挿入嵌合された第２のガイドローラ２１がねじ２２により回転可能に取り付けられている。上記第２のガイドローラ２１には、鍔部２１ａが形成されており、この鍔部２１ａにより摺動板１９が固定板１８から外れないように構成されている。この構成の場合、２個のガイドローラ２０、２１によって摺動板１９が固定板１８に摺動可能に支持されている。
【００２１】
更に、固定板１８の図４中右端部には、ばね掛け部１８ｃが突設されている。このばね掛け部１８ｃと摺動板１９のばね掛け部１９ｃとには、引っ張りコイルばね２３の両端部が掛けられている。この引っ張りコイルばね２３は、摺動板１９を図４中右方へ付勢して右エンド位置に復帰移動させるためのばねである。
【００２２】
また、固定板１８の中央部には、ダンパー取付孔１８ｄが形成されており、このダンパー取付孔１８ｄ内にオイルダンパー２４がねじ止め固定されている。このオイルダンパー２４は、本体２４ａとこの本体２４ａに回転可能に支持されたギヤ２４ｂとから構成されている。このギヤ２４ｂの回転には、本体２４ａにより抵抗力が付与されるように構成されている。そして、オイルダンパー２４のギヤ２４ｂが摺動板１９のラック部１９ｆに噛合するように構成されている。これにより、摺動板１９が摺動するときに抵抗力が与えられ、摺動板１９が比較的ゆっくり摺動する構成となっている。
【００２３】
更に、固定板１８の図４中左端部の上下部位には、該固定板１８を本体カバー１４に取り付けるための取付部１８ｅ、１８ｆが突設されている。また、固定板１８にガイドローラ２０、２１、摺動板１９及びオイルダンパー２４を組み付けて一体化（ユニット化）した後、図５に示すように、金属製のガイドプレート２５により固定板１８及び摺動板１９を覆うように構成されている。これにより、スライドユニット１６（１７）の組み立てが完了する。
【００２４】
次に、上記スライドユニット１６、１７を本体カバー１４及びパネル１５に取り付けるための構成について説明する。まず、図１及び図６に示すように、本体カバー１４の図２中右側面における第１の通気口１４ａの両端部分には、スライドユニット１６、１７の固定板１８の取付部１８ｅ、１８ｆに対応するように固定板取付部２６、２７（この場合、図１中右側の固定板取付部だけを図示する）が設けられている。
【００２５】
これら固定板取付部２６、２７は、図６に示すように、本体カバー１４に突設されたほぼ円柱状のボス２６ａ、２７ａと、これらボス２６ａ、２７ａの左右両側に位置してそれぞれ突設されたほぼコ字状をなす位置決めリブ２６ｂ、２６ｃ、２７ｂ、２７ｃとから構成されている。上記ボス２６ａ、２７ａの外周部には、４個の補強リブ２６ｄ、２７ｄが等間隔に突設されている。また、ボス２６ａ、２７ａの上端面部には、ねじ２８（図１中左側のスライドユニット１７参照）を螺挿するためのねじ孔２６ｅ、２７ｅが形成されている。
【００２６】
そして、固定板１８の取付部１８ｅ、１８ｆには、図７にも示すように、上記ボス２６ａ、２７ａが嵌合するボス嵌合凹部１８ｇ、１８ｈと、上記位置決めリブ２６ｂ、２６ｃ、２７ｂ、２７ｃが嵌合するリブ嵌合凹部１８ｉ、１８ｊ、１８ｋ、１８ｌとが設けられている。更に、ボス嵌合凹部１８ｇ、１８ｈの底壁部１８ｍ、１８ｎには、図４にも示すように、ねじ２８を挿通させるための挿通孔１８ｏ、１８ｐが形成されている。
【００２７】
また、本体カバー１４における上記固定板取付部２６、２７の中間部分には、図１及び図６に示すように、前記摺動板１９及びその取付部１９ｅが挿通可能な大きさの開口部２９が形成されている。
【００２８】
一方、パネル１５の図２中右側面における上記開口部２９に対応する部分には、図６に示すように、摺動板取付部３０が設けられている。この摺動板取付部３０は、パネル１５に突設されたほぼ円柱状のボス３０ａと、このボス３０ａの外側に位置して突設された２個の位置決めリブ３０ｂ、３０ｃとから構成されている。上記ボス３０ａの外周部には、４個の補強リブ３０ｄが等間隔に突設されている。また、ボス３０ａの上端面部には、ねじ３１（図１中左側のスライドユニット１７参照）を螺挿するためのねじ孔３０ｅが形成されている。
【００２９】
そして、摺動板１９の取付部１９ｅには、図８にも示すように、上記ボス３０ａ及び上記位置決めリブ３０ｂ、３０ｃが嵌合する嵌合凹部１９ｇが設けられている。更に、嵌合凹部１９ｇの底壁部１９ｈには、図４にも示すように、ねじ３１を挿通させるための挿通孔１８ｉが形成されている。尚、パネル１５におけるボス３０ａの上方には、横断面コ字状をなすパネル落下防止用の引掛け部３２が突設されている。そして、摺動板１９の取付部１９ｅの図４及び図８中上部には、上記引掛け部３２に掛合するための凸部１９ｊが突設されている。
【００３０】
また、図１に示すように、パネル１５を本体カバー１４に重ねた状態では、パネル１５の摺動板取付部３０と、本体カバー１４の固定板取付部２６、２７とがほぼ一直線状に並んで配置されるように構成されている。更に、上記重ねた状態では、摺動板取付部３０のボス３０ａの高さ寸法と、固定板取付部２６、２７のボス２６ａ、２７ａの高さ寸法とがほぼ等しくなるように構成されている。
【００３１】
さて、上記構成において、スライドユニット１６、１７を本体カバー１４及びパネル１５に取り付ける作業について説明する。まず、図１に示すように、パネル１５を本体カバー１４に重ね、この状態で、予め組み立てておいた一方のスライドユニット１６の固定板１８の取付部１８ｅ、１８ｆ並びに摺動板１９の取付部１９ｅを、本体カバー１４の固定板取付部２６、２７並びにパネル１５の摺動板取付部３０に対向させる。
【００３２】
続いて、固定板１８の取付部１８ｅ、１８ｆのボス嵌合凹部１８ｇ、１８ｈ及びリブ嵌合凹部１８ｉ、１８ｊ、１８ｋ、１８ｌを、本体カバー１４の固定板取付部２６、２７のボス２６ａ、２７ａ及び位置決めリブ２６ｂ、２６ｃ、２７ｂ、２７ｃに嵌合させる。これと共に、摺動板１９の取付部１９ｅを本体カバー１４の開口部２９内に挿通させながら、該取付部１９ｅの嵌合凹部１９ｇを、パネル１５の摺動板取付部３０のボス３０ａ及び位置決めリブ３０ｂ、３０ｃに嵌合させる。
【００３３】
そして、２本のねじ２８を固定板１８の取付部１８ｅ、１８ｆの挿通孔１８ｏ、１８ｐを通して固定板取付部２６、２７のボス２６ａ、２７ａのねじ孔２６ｅ、２７ｅに螺挿して締め付け固定する。これと共に、１本のねじ３１を摺動板１９の取付部１９ｅの挿通孔１８ｉを通して摺動板取付部３０のボス３０ａのねじ孔３０ｅに螺挿して締め付け固定する。これにより、スライドユニット１６の取付が完了する。そして、他方のスライドユニット１７の取付作業も上述した作業と同様にして実行する。
【００３４】
さて、上記スライドユニット１６、１７の取付が完了すると、スライドユニット１６、１７の摺動板１９を図２中左方へ摺動移動させると、パネル１５が本体カバー１４から離間した位置へスライド移動される。これにより、本体カバー１４の開口部１４ａ、１４ｂが開放される。
【００３５】
また、枠体１３内には、図２に示すように、スライドユニット１６、１７の摺動板１９（即ち、パネル１５）を移動駆動するパネル駆動機構３３が配設されている。このパネル駆動機構３３は、巻上げモータ３４と、軸３５を中心として回動可能に設けられたアーム３６と、このアーム３６の下端部と巻上げモータ３４の出力軸とを連結するワイヤ３７とから構成されている。そして、上記アーム３６の上端部に設けられたピン状の押圧部３６ａは、摺動板１９の右端部下部に当接するように構成されている。
【００３６】
この構成の場合、巻上げモータ３４が通電駆動されると、ワイヤ３７が巻上げられ、アーム３６が軸３５を中心として左回り方向へ回動される。すると、アーム３６の押圧部３６ａが、摺動板１９の右端部を押圧して摺動板１９を左方へ移動させる。これにより、パネル１５が本体カバー１４から離間した位置（図２中２点鎖線で示す位置）へスライド移動され、本体カバー１４の２つの開口部１４ａ、１４ｂが開放されるようになっている。そして、この開放位置で、巻上げモータ３４の回転が停止されると共に、この停止位置で巻上げモータ３４に内蔵されているロック装置により回転がロックされるように構成されている。
【００３７】
また、パネル１５により本体カバー１４の２つの開口部１４ａ、１４ｂを閉塞させる場合は、巻上げモータ３４を断電すると、その出力軸の回転が自由になることから、引っ張りコイルばね２３のばね力により、摺動板１９が図２中右方へ移動される。これにより、パネル１５が右方へスライド移動されて、本体カバー１４に重なる位置へ至り、２つの開口部１４ａ、１４ｂが閉塞される。このとき、オイルダンパー２４の抵抗力により、摺動板１９は右方へ比較的ゆっくり移動し、それに応じてパネル１５もゆっくりスライド移動するようになっている。これにより、パネル１５が本体カバー１４に当たる際の衝撃が緩和され、パネル１５の閉塞時に騒音がほとんど発生しない。
【００３８】
次に、上記した構成の熱交換形換気扇の運転動作について説明する。運転キー（図示せず）が操作されると、巻上げモータ３４が通電駆動され、ワイヤ３７が巻き上げられ、アーム３６が軸３５を中心として図２中左回り方向へ回動される。これにより、スライドユニット１６、１７の摺動板１９が、アーム３７の押圧部３７ａにより押圧され、引っ張りコイルばね２３のばね力に抗して図２中左方向へスライドされる。この結果、パネル１５が一体的に同方向へ移動され、図２中二点鎖線で示すように、本体カバー１４の２つの通気口１４ａ、１４ｂが開放される。
【００３９】
これと共に、換気扇本体１２の枠体１３内のファン装置が通電駆動され、室内の空気（汚れた空気）は第１の通気口１４ａから吸引されて枠体１３内の排気通路を通って室外へ排出される。そして、この排気動作と同時に、室外の空気（新鮮な外気）は、枠体１３内の給気通路を通って第２の通気口１４ｂから室内へ吹き出される。更に、枠体１３内の熱交換素子により、排気通路を通る室内空気と給気通路を通る外気との間で熱交換が行われる。即ち、室内空気が暖かい場合には、外気は該室内空気により暖められてから室内へ供給され、室内空気が冷たい場合には、外気は該室内空気により冷却されてから室内へ供給される。これにより、室内を冷暖房したときに、室内の換気に伴う熱損失を極力小さくすることができる。
【００４０】
次に、上記運転状態で停止キー（図示せず）が操作されると、巻上げモータ３４が断電され、スライドユニット１６、１７の摺動板１９が引っ張りコイルばね２３のばね力により右方へスライド移動される。これにより、パネル１５が一体的に同方向へスライドし、本体カバー１４に重なるように当接し、第１及び第２の通気口１４ａ、１４ｂが閉塞される。これと共に、枠体１３内のファン装置が断電され、給排気運転が停止される。尚、本体カバー１４の下部には、図９及び図１０に示すように、操作パネル３８が配設されており、この操作パネル３８に上記運転キー及び停止キーが設けられている。
【００４１】
このような構成の本実施例においては、固定板１８及び摺動板１９を予め組み立てることによりスライドユニット１６、１７を組み立てておき、このスライドユニット１６、１７の固定板１８を本体カバー１４に取り付けると共に、スライドユニット１６、１７の摺動板１９を本体カバー１４の開口部２９を通してパネル１５に取り付けるように構成した。このため、スライドユニット１６、１７を組み立てる場合、本体カバー１４やパネル１５が邪魔にならないから、引っ張りコイルばね２３等を装着する作業を実行し易くなり、上記組み立て作業は従来構成（図１１参照）に比べてかなり簡単になる。
【００４２】
そして、スライドユニット１６、１７を本体カバー１４及びパネル１５に取り付ける作業は簡単である。具体的には、図１に示すように、パネル１５を本体カバー１４に重ねた状態で、スライドユニット１６、１７の固定板１８の取付部１８ｅ、１８ｆ並びに摺動板１９の取付部１９ｅを、本体カバー１４の固定板取付部２６、２７並びにパネル１５の摺動板取付部３０に嵌合させた後、ねじ２８、３１を締め付け固定するだけである。従って、全体として組み立て作業を簡単に行うことができる。
【００４３】
また、上記実施例では、スライドユニット１６、１７に、引っ張りコイルばね２３やガイドローラ２０、２１等の部品を組み込むように構成した。これにより、引っ張りコイルばね２３やガイドローラ２０、２１等の比較的小さい部品を組み込む作業を簡単化することができる。
【００４４】
更に、上記実施例では、本体カバー１４に設ける通気口として、幅狭な第１の通気口１４ａと，この第１の通気口１４ａよりも幅広な第２の通気口１４ｂとを設けた。そして、これら第１または第２の通気口１４ａ、１４ｂのうちの一方である例えば第１の通気口１４ａを排気口とし、他方である例えば第２の通気口１４ｂを給気口とした。この構成によれば、第１の通気口１４ａの方が第２の通気口１４ｂよりも幅狭であるから、本体カバー１４における第１の通気口１４ａの両側部分に、スライドユニット１６、１７を取り付けるためのスペースを容易に確保することができる。
【００４５】
更にまた、上記実施例では、パネル１５の摺動板取付部３０に１個のボス３０ａを設け、本体カバー１４の２個の固定板取付部２６、２７にそれぞれボス２６ａ、２７ａを設け、これら３個のボス３０ａ、２６ａ、２７ａの高さ寸法をほぼ同じに構成した。これにより、ねじ２８、３１を上記ボス３０ａ、２６ａ、２７ａのねじ孔３０ｅ、２６ｅ、２７ｅに螺挿する際の締め付け作業を行い易くなり、それだけ組み立て作業が簡単になる。
【００４６】
また、上記実施例においては、パネル１５の摺動板取付部３０に位置決めリブ３０ｂ、３０ｃを設けると共に、本体カバー１４の２個の固定板取付部２６、２７にそれぞれ位置決めリブ２６ｂ、２６ｃ、２７ｂ、２７ｃを設けた。そして、摺動板１９の取付部１９ｅをパネル１５の摺動板取付部３０に嵌合する場合に、取付部１９ｅの嵌合凹部１９ｇを摺動板取付部３０の位置決めリブ３０ｂ、３０ｃに嵌合させた。更に、固定板１８の取付部１８ｅ、１８ｆを本体カバー１４の固定板取付部２６、２７に嵌合する場合に、取付部１８ｅ、１８ｆのリブ嵌合凹部１８ｉ、１８ｊ、１８ｋ、１８ｌを固定板取付部２６、２７の位置決めリブ２６ｂ、２６ｃ、２７ｂ、２７ｃに嵌合させた。これにより、摺動板１９の取付部１９ｅの位置決め、並びに、固定板１８の取付部１８ｅ、１８ｆの位置決めを正確且つ確実に行うことができる。
【００４７】
更にまた、上記実施例では、摺動板取付部３０と２個の固定板取付部２６、２７をほぼ一直線に並ぶように配置した。これにより、摺動板取付部３０及び２個の固定板取付部２６、２７を配設するために必要とするスペースを、縦長で幅狭な形状にすることができる。この結果、本体カバー１４の第１の通気口１４ａの開口面積を極力大きくすることができる。
【００４８】
そして、上記実施例では、第１の開口部１４ａを排気口として、ここから室内の空気を吸引すると共に、第１の開口部１４ａよりも上方にある第２の開口部１４ｂを給気口として、ここから室内へ外気を吹き出すように構成した。これにより、室内の比較的下方に漂っている汚れた空気（例えばタバコの煙り等）を第１の開口部１４ａを通して吸引することができる。そして、新鮮な外気を第２の通気口１４ｂを通して室内の上方へ吹き出すことができる。この構成の場合、第２の通気口１４ｂから室内へ吹き出した外気と、第１の通気口１４ａから吸引される室内の汚れた空気とが混じることがない。従って、第１の通気口１４ａを通して室内の汚れた空気を確実に排出することができる。
【００４９】
一方、上記実施例では、パネル１５に引掛け部３２（図６参照）を形成すると共に、摺動板１９の取付部１９ｅの上部に凸部１９ｊを形成した。この構成によれば、パネル１５のボス３０ａが破損してパネル１５が落下しようとした場合、パネル１５の引掛け部３２が摺動板１９の凸部１９ｊに掛合するようになる。このため、パネル１５が摺動板１９により支えられるようになるので、パネル１５の鉛直方向への落下を防止することができる。
【００５０】
尚、上記実施例では、本体カバー１４に開口部２９を形成し、この開口部２９を通してスライドユニット１６、１７の摺動板１９及びその取付部１９ｅを挿通させるように構成したが、これに限られるものではなく、摺動板１９及びその取付部１９ｅを挿通可能な切欠部を設けるだけの構成でも良い。即ち、パネル１５に設けられた摺動板取付部３０が、本体カバー１４を通してスライドユニット１６、１７側に露出するような構成とすれば良い。
【００５１】
【発明の効果】
本発明は、以上説明した通りの構成であるから、次の効果を得ることができる。即ち、請求項１の換気扇によれば、固定板及び摺動板を予め組み立てることによりスライドユニットを組み立てておき、このスライドユニットの固定板を本体カバーに取り付けると共に、スライドユニットの摺動板を本体カバーの開口部を通してパネルに取り付けるように構成したので、組み立て作業を簡単に行うことができる
請求項２の換気扇によれば、摺動板を取り付ける摺動板取付部を、本体カバーを通してスライドユニット側に露出するようにパネルに設けたので、請求項１の換気扇と同様に組み立て作業を簡単に行うことができる。
【００５２】
請求項３の換気扇によれば、スライドユニットに、ばねやローラ等の部品を組み込むように構成したので、組み立て作業が簡単になる。また、請求項４の換気扇によれば、通気口を、幅狭な第１の通気口とこの第１の通気口よりも幅広な第２の通気口とから構成すると共に、これら第１または第２の通気口のうちの一方を排気口とし、他方を給気口とするように構成したので、第１の通気口の両側にスライドユニットを取り付けるための取付スペースを容易に確保することができる。
【００５３】
請求項５の換気扇によれば、摺動板取付部のボス及び２個の固定板取付部の各ボスの高さ寸法をほぼ同じに構成したので、ねじ締め等の取付作業を実行し易くなる。また、請求項６の換気扇によれば、摺動板取付部にリブを設けると共に、２個の固定板取付部にそれぞれリブを設けるように構成したので、摺動板を取付ける際の位置決め、並びに、固定板を取付ける際の位置決めを正確且つ確実に行うことができる。
【００５４】
請求項７の換気扇によれば、摺動板取付部と２個の固定板取付部をほぼ一直線に並ぶように配置したので、摺動板取付部及び２個の固定板取付部を配設するために必要とするスペースを、縦長で幅狭な形状にすることができて、本体カバーの第１の通気口の開口面積を極力大きくすることができる。
【図面の簡単な説明】
【図１】本発明の一実施例を示すものであり、本体カバー、パネル及びスライドユニットを示す斜視図
【図２】換気扇を設置した状態の縦断側面図
【図３】本体カバー、パネル及びスライドユニットを示す縦断側面図
【図４】スライドユニットの分解斜視図
【図５】スライドユニットの斜視図
【図６】パネル及び本体カバーの要部の破断斜視図
【図７】固定板の取付部側の端面図
【図８】摺動板の取付部側の端面図
【図９】換気扇全体の斜視図
【図１０】パネル、本体カバー及びスライドユニットの斜視図
【図１１】従来構成を示すもので、固定板及び摺動板の組み立て作業を示すための分解斜視図
【符号の説明】
１１は室壁、１２は換気扇本体、１３は枠体、１４は本体カバー、１４ａは第１の通気口、１４ｂは第２の通気口、１５はパネル、１６、１７はスライドユニット、１８は固定板、１８ｆは取付部、１９は摺動板、１９ａ、１９ｂはレール部、１９ｄは長孔、１９ｅは取付部、１９ｆはラック部、２０は第１のガイドローラ、２１は第２のガイドローラ、２３は引っ張りコイルばね、２６、２７は固定板取付部、２６ａ、２７ａはボス、２６ｂ、２６ｃ、２７ｂ、２７ｃは位置決めリブ、２８はねじ、２９は開口部、３０は摺動板取付部、３０ａはボス、３０ｂ、３０ｃは位置決めリブ、３１はねじ、３３はパネル駆動機構、３４は巻上げモータを示す。
【図１】
0003657732.tif 000002
【図２】
0003657732.tif 000003
【図３】
0003657732.tif 000004
【図４】
0003657732.tif 000005
【図５】
0003657732.tif 000006
【図６】
0003657732.tif 000007
【図７】
0003657732.tif 000008
【図８】
0003657732.tif 000009
【図９】
0003657732.tif 000010
【図１０】
0003657732.tif 000011
【図１１】
0003657732.tif 000012